(57)【要約】【課題】ユーザインターフェース面を備える操作モジュールをシンプルな構成で格納可能にした際に、操作モジュールに外部から浸入した液体および侵入した液体以外の異物を排出させること。【解決手段】操作モジュール８と開閉パネル６の隙間に液体が浸入または液体以外の異物が侵入した際に、操作モジュール８の下面にシュート部８ｋを形成し、シュート部８ｋを伝わった液体が外部に排出できるように開閉パネル６上に貫通穴６ｈを設けることで、化粧パネル１０と開閉パネル６の隙間を排出経路６ｊとして外部に排出し、内部の基板を保護することができる。【選択図】図１８
2019207094.tif 000002
【特許請求の範囲】
【請求項１】
操作ユニットと、
前記操作ユニットを取付ける操作ユニット本体と、
を備え、
前記操作ユニットは、前記操作ユニット本体の前面を開閉する開閉パネルと、加熱調理器の操作部を有する操作モジュールと、を有し、
前記開閉パネルは、前記操作ユニット本体と、第１の回動軸で連結され、前記開閉パネルの閉時には前記操作ユニット本体の前面を被い、前記開閉パネルの開時には前記第１の回動軸を中心に回動可能に構成され、
前記操作モジュールは、前記開閉パネルの閉時には、前記操作ユニット本体に収められ、前記開閉パネルの開時には操作可能なように露出する加熱調理器であって、
前記開閉パネルには、表面と裏面とを貫通する貫通穴を備え、
前記開閉パネルの表面には、前記貫通穴から前記開閉パネルの下端部まで連通するくぼみ形状を備えた、加熱調理器。
【請求項２】
前記開閉パネルは、前記操作モジュールと第２の回動軸で連結され、前記開閉パネルの開閉時には前記操作モジュールが前記第２の回動軸を中心に回動可能に構成され、
前記開閉パネルの上端部には、フラップを備え、
前記操作モジュールの裏面にシュート部を備えた、請求項１に記載の加熱調理器。
【請求項３】
前記開閉パネルの開時及び閉時のいずれの場合においても、鉛直下方から前記開閉パネル上の前記貫通穴を見上げた際に、前記貫通穴を通して前記シュート部が臨む位置にあるように配置した、請求項２に記載の加熱調理器。
【請求項４】
前記くぼみ形状は左右非対称に構成されている請求項１〜３のいずれか１項に記載の加熱調理器。
【発明の詳細な説明】
【技術分野】
【０００１】
本発明は、加熱調理器に関するものである。
【背景技術】
【０００２】
従来より、例えば、特許文献１に記載するように、ユーザが操作するためのボタンなどが設けられたユーザインターフェース面を備える操作モジュール（操作部）が格納可能な加熱調理器が知られている。特許文献１に記載された加熱調理器は、第１の回転機構によって前方に傾倒する開閉パネルと、開閉パネルに回動可能に前端が取り付けられ、第２の回転機構によって開閉パネルに対して回動される操作モジュールとを有する。このような構成により、開閉パネルに対して回動不能に操作モジュールが固定されている場合に比べて、操作モジュールの格納空間を小さくしている。
【０００３】
また、加熱調理器において操作部に外部からの液体の進入を防ぐために特許文献２に示すように、操作部の上面に設けた複数の通気穴と、前記通気穴と送風装置の吸気口との間でかつ前記通気穴の下に断面がＪ字状である液体阻止部材を備えることによって、液体の進入を防ぐ機構を有していた。
【０００４】
この液体阻止部材は、集積溝を有しており、前記集積溝の廃液部は任意の前記通気穴から前記送風装置の前記吸気口を直接液体が飛び込む経路を含めた空間の外方に設けた構成となっているため、制御回路等に水滴等が付着し内部にたまることがない構成となっている。
【先行技術文献】
【特許文献】
【０００５】
【特許文献１】特開２００９−１９８１２７号公報
【特許文献２】特開２０１０−０８６８４２号公報
【発明の概要】
【発明が解決しようとする課題】
【０００６】
しかしながら、特許文献１に記載の加熱調理器の場合、開閉パネルを回動させる第１の回転機構とその開閉パネルに対して操作モジュールを回動させる第２の回転機構とにより、操作モジュールが格納空間に対して出し入れされる。また、開閉パネルと操作モジュールとを所定に連動させるために、第１の回転機構と第２の回転機構とを同期させる必要がある。そのため、操作モジュールを格納可能にするための構成が複雑である。
【０００７】
これを解決するために、操作ユニットを有する加熱調理器であって、前記操作ユニットが、前記操作ユニットの前方側に開いた格納空間を備えるユニット本体と、前記操作ユニットの左右方向に延在する第１の回動軸を中心にして前記操作ユニットの前方側に傾倒可能に前記ユニット本体に取り付けられ、前記格納空間を開閉する開閉パネルと、ユーザインターフェース面を備え、前記第１の回動軸と平行な第２の回動軸を中心にして回動可能に前記開閉パネルに対して前端が取り付けられ、前記格納空間に対して出し入れされる操作モジュールと、前記操作モジュールの後端が前記開閉パネルから離れる方向に回動するように前記操作モジュールを付勢する付勢部材とを含み、前記付勢部材によって後端が前記開閉パネルから離れる前記操作モジュールを介して前記開閉パネルが傾倒するように、前記操作モジュールの後端をガイドするガイド部が前記ユニット本体に設けられている、加熱調理器が提供される。
【０００８】
その際に、前記の第一の回転軸と第二の回転軸が可変である新規構成を導入することによって操作ユニットの大きさを小さくし、製品内の隙間を広げることができた一方、開閉時に新たに操作ユニットの開閉パネルと操作モジュール内に隙間ができる。その隙間を通り、従来技術だけでの対策では液体が操作ユニット内に浸入し、内部にたまる可能性が生じるという課題を有していた。
【０００９】
また、液体以外の異物に関しても隙間から操作ユニット内に侵入し、取り出せなくなる可能性が生じるという課題を有していた。
【課題を解決するための手段】
【００１０】
前記従来の課題を解決するために、本発明の加熱調理器は、操作ユニットと、前記操作ユニットを取付ける操作ユニット本体と、を備え、前記操作ユニットは、前記操作ユニット本体の前面を開閉する開閉パネルと、加熱調理器の操作部を有する操作モジュールと、を有し、前記開閉パネルは、前記操作ユニット本体と、第１の回動軸で連結され、前記開閉パネルの閉時には前記操作ユニット本体の前面を被い、前記開閉パネルの開時には前記第１の回動軸を中心に回動可能に構成され、前記操作モジュールは、前記開閉パネルの閉時には、前記操作ユニット本体に収められ、前記開閉パネルの開時には操作可能なように露出する加熱調理器であって、前記開閉パネルには、表面と裏面とを貫通する貫通穴を備え、前記開閉パネルの表面には、前記貫通穴から前記開閉パネルの下端部まで連通するくぼみ形状を備えた、としたものである。
【００１１】
これによって、液体が操作表示面に滴下した際に、操作モジュールと開閉パネルの流路内を流れることで外部に排出することが可能となり、内部の充電部の操作基板を保護する。
【発明の効果】
【００１２】
本発明の加熱調理器は、開閉時に液体が操作ユニット内の制御回路やスピーカー等の内部に浸入し、たまることを防ぐことができる。また、液体以外の異物に対しても、流路によって操作ユニット下面の穴から外部に排出することができる。
【図面の簡単な説明】
【００１３】
【図１】操作ユニットが全閉状態の本発明の実施の形態１における加熱調理器の斜視図
【図２】操作ユニットが全開状態の本発明の実施の形態１における加熱調理器の斜視図
【図３】全開状態の操作ユニットの斜視図
【図４】全閉状態の操作ユニットの斜視図
【図５】操作ユニットの分解斜視図
【図６】開閉パネルが取り付けられた状態のユニット本体の斜視図
【図７】開閉パネルが取り付けられた状態のユニット本体の側面図
【図８】ユニット本体への開閉パネルの取り付けを説明するための図
【図９】操作ユニットにおける可動ユニットの分解斜視図
【図１０】ユニット本体の後側壁を示す該ユニット本体の斜視図
【図１１】シャフトとローラを示す操作モジュールの斜視図
【図１２】開閉パネルが全閉位置にあるときのローラの位置を示す操作ユニットの断面図
【図１３】開閉パネルが全開位置にあるときのローラの位置を示す操作ユニットの断面図
【図１４】開閉パネルが全閉位置にあるときのシャフトの位置を示す操作部本体の側面図
【図１５】開閉パネルが全開位置にあるときのシャフトの位置を示す操作部本体の側面図
【図１６】全閉状態の操作ユニットに侵入した漏水の排出経路を示す操作ユニットの断面図
【図１７】全閉状態の操作ユニットに侵入した漏水の排出経路を示す操作ユニットの断面図の部分拡大図
【図１８】全開状態の操作ユニットに侵入した漏水の排出経路を示す操作ユニットの断面図
【図１９】全開状態の操作ユニットに侵入した漏水の排出経路を示す操作ユニットの断面図の部分拡大図
【図２０】シュート部を示す操作モジュールの斜視図
【図２１】操作ユニット内の液体以外の異物の排出経路に関連する構成を示す開閉パネルと操作モジュールの斜視図
【図２２】異物が侵入した際の第二の流路を通る際のイメージ図
【図２３】略Ｖ字上の形状において段差がない場合の異物が侵入した際の第二の流路を通る際のイメージ図
【発明を実施するための形態】
【００１４】
第１の発明は、操作ユニットと、前記操作ユニットを取付ける操作ユニット本体と、
を備え、前記操作ユニットは、前記操作ユニット本体の前面を開閉する開閉パネルと、加熱調理器の操作部を有する操作モジュールと、を有し、前記開閉パネルは、前記操作ユニット本体と、第１の回動軸で連結され、前記開閉パネルの閉時には前記操作ユニット本体の前面を被い、前記開閉パネルの開時には前記第１の回動軸を中心に回動可能に構成され、前記操作モジュールは、前記開閉パネルの閉時には、前記操作ユニット本体に収められ、前記開閉パネルの開時には操作可能なように露出する加熱調理器であって、前記開閉パネルには、表面と裏面とを貫通する貫通穴を備え、前記開閉パネルの表面には、前記貫通穴から前記開閉パネルの下端部まで連通するくぼみ形状を備えた、とすることにより、液体が操作表示面に滴下した際に、操作モジュールと開閉パネルの流路内を流れることで外部に排出することが可能となり、内部の充電部の操作基板を保護するものである。
【００１５】
第２の発明は、特に第１の発明において、前記開閉パネルは、前記操作モジュールと第２の回動軸で連結され、前記開閉パネルの開閉時には前記操作モジュールが前記第２の回動軸を中心に回動可能に構成され、前記開閉パネルの上端部には、フラップを備え、前記操作モジュールの裏面にシュート部を備えた、とすることにより、フラップは、開閉パネルの上面のくぼみに取り付けられており、先端は閉時から開時にかけて操作モジュールの上面と下面の間に形成された隙間の間に収まるような位置に配置されており、操作モジュールに滴下した液体がフラップ上面を通り、操作モジュール裏面のシュート部に伝わり開閉パネルの貫通穴へ方向付けされる。
【００１６】
第３の発明は、特に、第２の発明において、前記開閉パネルの開時及び閉時のいずれの場合においても、鉛直下方から前記開閉パネル上の前記貫通穴を見上げた際に、前記貫通穴を通して前記シュート部が臨む位置にあるように配置したとすることにより、操作モジュールが開時及び閉時において、操作モジュール外面から浸入した液体がシュート部を伝わり、くぼみ形状と連通することが可能となるものである。
【００１７】
第４の発明は、特に、第１〜３のいずれか１つの発明において、前記くぼみ形状は左右非対称に構成されているとすることにより、液体以外の異物の侵入に関して、侵入物の幅が直径２１ｍｍ以内のものであれば、第二の流路入り口を形成する開閉パネル上部の窪み形状を略Ｖ字として、さらに左右非対称となる高さの異なる段差を設けることで侵入した異物を回転させることにより外部に排出することが可能となる。たとえば棒状の爪楊枝や
硬貨の１円玉と同程度の異物が隙間から混入した際に制御ユニット下面より排出することができる。ただし、直径の幅に関しては、本製品の形状と大きさに由来するものであり、限定されるものではない。
【００１８】
以下、本発明の実施の形態について、図面を参照しながら説明する。なお、この実施の形態によって本発明が限定されるものではない。
【００１９】
（実施の形態１）
図１および図２は本発明の第１の実施の形態に係る加熱調理器１を示している。図１は、その加熱調理器の操作ユニットが全閉状態の加熱調理器を示している。図２は、操作ユニットが全開状態の加熱調理器を示している。
【００２０】
図１および図２に示すように、本実施の形態の場合、加熱調理器１は、加熱対象の調理容器（鍋や加熱可能な容器等：図示せず）が載置されるトッププレート２と、トッププレート２の下側に位置する筐体３とを有する。この筐体３内に、トッププレート２上に載置された調理容器を誘導加熱する誘導加熱コイル（図示せず）が収納されている。図２に示すように、誘導加熱コイルをユーザが操作するための操作ユニット４が、筐体３の前側部分に取り付けられていて収納可能となっている。
【００２１】
図３に示すように、操作ユニット４は、筐体３に取り付けられる操作ユニット本体５と、操作ユニット本体５に取り付けられた開閉パネル６と、ユーザが操作を行う際に使うインターフェース７を備える操作モジュール８とを有する。
【００２２】
操作ユニット４の構成の詳細を説明する前に、まず、図３、および図４を参照しながら操作ユニット４の動作について簡単に説明する。
【００２３】
まず、図４に示すように、操作ユニット４が全閉状態であるとき、操作モジュール８は、操作ユニット本体５内に格納されている。そのため、操作モジュール８のインターフェース７は隠れており、ユーザはインターフェース７にアクセスすることができない。
【００２４】
開閉パネル６が傾倒して全開位置（操作ユニット４が全開状態であるときの位置）に到達すると、図３に示すように、操作モジュール８が完全に尻上がって概ね水平姿勢をとり、そのインターフェース７も概ね水平姿勢で操作ユニット本体５の外部に配置される。すなわち、インターフェース７が、ユーザが操作可能な状態にされる。
【００２５】
ここからは、上述のように動作するための操作ユニット４の構成について説明する。
【００２６】
図５は、操作ユニット４の分解斜視図である。
【００２７】
操作ユニット４は、操作ユニット本体５と、その操作ユニット本体５に対して回動可能に取り付けられた可動ユニット９とに大別される。その可動ユニット９に、開閉パネル６と操作モジュール８とが含まれる。なお、図５は、可動ユニット９の開閉パネル６から化粧パネル１０を取り外した状態を示している。図１に示すように、化粧パネル１０は、加熱調理器１の前側化粧面の一部を構成している。
【００２８】
具体的には、可動ユニット９における開閉パネル６が、操作ユニット本体５に連結して回動可能に取り付けられ、操作モジュール８などの可動ユニット９の他の構成要素が開閉パネル６に取り付けられている。
【００２９】
操作ユニット本体５は、操作ユニット４の前方側に開いた格納空間５ａを備える概ね箱
状の部材であって、例えば樹脂材料から作製されている。この格納空間５ａに対して、操作モジュール８が出し入れされる。その格納空間５ａを画定する後側壁５ｂ、左側壁５ｃ、および右側壁５ｄを、操作ユニット本体５は備える。その操作ユニット本体５と開閉パネル６について、図６〜図８を参照しながら説明する。
【００３０】
図６および図７は開閉パネルが取り付けられた状態のユニット本体の斜視図および側面図である。図８は、ユニット本体への開閉パネルの取り付けを説明するための図である。
【００３１】
図６に示すように、開閉パネル６は、操作ユニット本体５の格納空間５ａを開閉するパネル状の部材であって、例えば、樹脂材料から作製されている。具体的には、開閉パネル６は、略板状のベース部６ａと、ベース部６ａの左右方向の両端でベース部６ａから立設する左側壁６ｂ、右側壁６ｃとから構成されている。
【００３２】
図７に示すように、開閉パネル６は、操作ユニット４の左右方向に延在する第１の回動軸Ｃ１を中心にして回動可能に操作ユニット本体５に取り付けられる。
【００３３】
また、操作モジュール８は開閉パネル６に連結されており、第２の回動軸Ｃ２に対して回動可能である。
【００３４】
そのために、図８に示すように、操作ユニット本体５は、その下側部分に、前方に向かって突出する一対のアーム部５ｅを備える。そのアーム部５ｅそれぞれには、左右方向に貫通する貫通穴５ｆが形成されている。一方、開閉パネル６の左側壁６ｂ、右側壁６ｃそれぞれの下側部分には、左右方向に貫通する貫通穴６ｄが形成されている。なお、この左側壁６ｂと右側壁６ｃそれぞれの外側面に、化粧パネル１０のリブ状の取り付け部１０ａが係合することにより、化粧パネル１０が開閉パネル６に取り付けられる。
【００３５】
操作ユニット本体５のアーム部５ｅにおける貫通穴５ｆと開閉パネル６の貫通穴６ｄが操作ユニット４の左右方向に重なる状態で、これらに支持ピン１２（Ｃ１軸）が挿通される。これにより、開閉パネル６は、支持ピン１２（Ｃ１軸）を介して、操作ユニット本体５に回動可能に支持される。その結果、開閉パネル６は、第１の回動軸Ｃ１を中心にして操作ユニット本体５に対して回動し、前方に傾倒することができる。
【００３６】
図９は、操作ユニット４における可動ユニット９の分解斜視図である。
【００３７】
図９に示すように、可動ユニット９には、開閉パネル６と操作モジュール８とが含まれる。さらに、本実施の形態の場合、可動ユニット９には、トーションばね（付勢部材）１３、左サイドカバー１４、右サイドカバー１５、支持ピン１６（Ｃ２軸）、およびフラップ１７が含まれている。
【００３８】
具体的には、開閉パネル６に対して操作モジュール８が回動可能に取り付けられ、左サイドカバー１４、右サイドカバー１５、およびフラップ１７が開閉パネル６に取り付けられている。左サイドカバー１４および右サイドカバー１５は、ねじ１８によって開閉パネル６のベース部６ａに固定される。操作モジュール８は、左サイドカバー１４と右サイドカバー１５との間で回動する。
【００３９】
フラップ１７は、開閉パネル６の上面のくぼみに取り付けられており、先端は閉時から開時にかけて操作モジュール８の上面と下面の間に形成された隙間の間に収まるような位置に配置されている。
【００４０】
このトーションばね１３による開閉パネル６の挙動と操作モジュール８の挙動の両方を
実現するために、図１０に示すように、操作ユニット本体５には、操作モジュール８の後端をガイドするガイド部５ｇが設けられている。本実施の形態の場合、ガイド部５ｇが２つ設けられている。また、本実施の形態の場合、図１１は、シャフト１１とローラ１９を示す操作モジュールの斜視図であり、図１１に示すように、ガイド部５ｇそれぞれにガイドされる操作モジュール８の後端として、２つのローラ１９が操作モジュール８に設けられている。
【００４１】
図１０に示すように、本実施の形態の場合、操作ユニット本体５のガイド部５ｇは、後側壁５ｂ上に形成されたリブである。後側壁５ｂは、オーバーハング状であって、その上端側部分が格納空間１１ａを画定する天井として機能する。そのオーバーハング状の後側壁５ｂに沿ってガイド部５ｇが設けられている。すなわち、ガイド部５ｇもオーバーハングしている。
【００４２】
本実施の形態の場合、このリブ状のガイド５ｇを、図１１に示す操作モジュール８のローラ１９が転動する。本実施の形態では、ローラ１９は、シャフト１１によって回転可能に支持されている。
【００４３】
図１２、図１３は、開閉パネルの状態によって変化する操作モジュールのローラの位置を示す操作ユニットの断面図であり操作ユニット開閉時の操作モジュールの転動時の機構を示す。図１４、図１５は、ローラと同様に開閉パネルの状態によって変化する操作モジュールのシャフトの位置を示す操作ユニットの断面図である。なお、図１２、図１３、図図、図１５では、操作モジュール８内の構成要素の図示は省略している。
【００４４】
具体的には、図１２は、図４に示すように開閉パネル６が全閉位置にあるときのローラ１９の位置を示している。そして、図１３は、図３に示すように開閉パネル６が全開位置にあるときのローラ１９の位置を示している。
【００４５】
図１２に示すように、ガイド部５ｇは、オーバーハング状であって、すなわち下から実質的に鉛直方向上側に向かって延在し、その後上方向に延在しつつ前方向に延在し、そして、前方向に延在する。これにより、図１２、図１３に示すように、ガイド部５ｇ上を転動するローラ１９は、開閉パネル６が全閉位置から全開位置に移動するときに、上方向と前方向のみに移動する。これにより、操作ユニット４の格納空間５ａを小さくすることができる、すなわち、開閉パネル６が全閉位置にあるときの位置からローラ１９が後方向に移動することがないために、格納空間５ａの前後方向のサイズを小さくすることができ、操作ユニットを小型化することができる。
【００４６】
しかしながら上記に記すように、格納空間５ａを小さくするために第１の回転軸Ｃ１と第２の回転軸Ｃ２を設けることで可動ユニット９を格納することで新たに、フラップ１７とインターフェース７の下面の間にフラップ通過穴８ｆが空間として形成される。
【００４７】
図１６は閉時の断面図、図１８は開時の断面図であり、上記のフラップ通過穴８ｆを介して、液体および液体以外が操作ユニット４内に浸入し内部にたまることを防ぐための排出経路に関連する構成に関するものである。
【００４８】
まず液体の漏水に関して説明する。
【００４９】
図１３には、全閉状態の操作ユニット４に浸入した漏水の排出経路が示されている。図の詳細、特に全閉時の第一流路に関しては図１７に示す。第一流路は操作モジュール外面からの漏水が、ベース部６aを貫通する貫通穴６ｈを通過するまでの流路でありこの機構により操作モジュール内への水の漏水を防いでいる。漏水は、例えば、トッププレート２
上に載置されて液体を入れて加熱されている調理容器から吹きこぼれや、調理時に誤って液体を入れた鍋をひっくり返して生じた液体である。
【００５０】
図１６に示すように、操作ユニット４に浸入した漏水は、フラップ１７をつたって、またフラップ通過穴８ｆを介して、操作モジュール８の防水空間８ｇに入る。この防水空間８ｇは、操作に関する電子部品や回路基板などが収容された電子部品収容空間８ｈに対して独立しており、電子部品収容空間８ｈに連絡していない。
【００５１】
防水空間８ｇに浸入した漏水は、操作モジュール８に形成された排出穴８ｊを介して、操作モジュール８の外部に排出される。排出された漏水は、図１６に示すように、操作モジュール８のシュート部８ｋ上を流れる。シュート部の位置関係は、操作モジュール８が開時、閉時のいずれの場合においても、鉛直下方から開閉パネル６上の穴を見上げた際に前記シュート部８ｋが臨む位置関係にあるように配置している。
【００５２】
シュート部８ｋによって方向付けされてシュート部８ｋから流れ落ちた漏水は、開閉パネル６のベース部６ａを貫通する貫通穴６ｈを通過し、開閉パネル６と化粧パネル１０との間の排出流路６ｊに流入する。これにより、操作モジュール８に漏水が貯留し、その貯留した漏水が電子部品収容空間８ｈに浸入することが抑制される。
【００５３】
図１８に示すように、全開状態の操作ユニット４でも、全閉状態の操作ユニット４と同一の経路で、漏水は排出される。図の詳細、特に全開時の第一流路に関しては図１９に示す。これにより、操作モジュール８の電子部品収容空間８ｈへの漏水の浸入が抑制される。
【００５４】
図２０の操作モジュールの斜視図にシュート部８ｋを示す。
【００５５】
したがって、操作表示面からフラップ１７の上面を介し、開閉パネル６と操作モジュール８の間の隙間から浸入した液体が、操作モジュール８に形成されたシュート部８ｋを介して伝わり、開閉パネル８の開口穴を通して、開閉パネル６と化粧パネル１０の間の隙間の排出経路を通ることによって外部に排出できる機能を有する。
【００５６】
液体以外の異物の混入に関しては、基本的な排出経路は図１６、または図１８に示すＷＰと同様である。
【００５７】
液体以外の異物の混入とは、たとえば調理中に使用する爪楊枝等を操作ユニット上面に落下させた場合である。
【００５８】
図１６に示すように、操作ユニットに侵入した液体以外の異物は、閉時から開時の途中の過程で侵入する恐れがある。侵入物の大きさは左右方向に関しては排出経路６ｊの幅よりも小さく、前後方向に関しては、排出経路６ｊの高さよりも小さいものを想定している。
【００５９】
図２１は、操作ユニット内の液体以外の異物の排出経路に関連する構成を示す開閉パネルと操作モジュールの斜視図を示している。
【００６０】
侵入経路に関しては、フラップ１７をつたって、開閉パネル６のベース部６ａを貫通する貫通穴６ｈを通過するところまで侵入するところは液体の漏水と同様である。
【００６１】
開閉パネル６のベース部６ａ内にはくぼみ形状である段差Ａが形成されており、この段差Ａは略Ｖ字状Ｄ（図２３に図示）に傾斜しており、貫通穴段差面左６ｋと貫通穴段差面
右６ｌで構成されている。その位置関係は左右非対称であり、貫通穴段差左６ｋが貫通穴段差右６ｌよりも位置が上にある構成となっている。なお、この高低差の位置関係は左右逆であっても構わない。
【００６２】
液体以外の異物Ｃは図２２に示すように貫通穴段差面左６ｋに接触後、貫通穴段差面右６ｌに接触する。この時段差の高低差Ｂにより、貫通穴段差面左の角を形成する段差角左６ｍを回転中心として回転し、液体以外の異物Ｃの先端が排出経路６ｊ側を向く。その後、排出経路６ｊに流入し、開閉パネル下面に設けられた排出穴６ｎより操作ユニット４の外部へ排出される。
【００６３】
図２３に示すように、上記の機構は貫通穴段差面左６ｋと貫通穴段差面右６ｍの位置関係が左右対称で段差の高低差Ｂがない場合、液体以外の異物Ｃが貫通穴６ｈの長辺に対して平行に侵入し通過した際に略Ｖ字形状の段差に液体以外の異物が回転する回転機構を有さないため水平に配置されてＶ字形状の上部につっかえてしまう。上記を防ぐために開閉パネル６のベース部６ａの段差Ａに高低差Ｂを設けている。
【００６４】
なお略Ｖ字形状Ｄの段差Ａの形状に関して、本操作部がスピーカーを有している構造ゆえ、貫通穴６ｈより排出流路６ｊの左右幅を小さくし左右非対称の段差の高低差Ｂを設ける必要があるが本操作部の形状特有のものであり、排出経路６ｊの左右幅を貫通穴６ｈと同等の大きさを確保できる場合は、略Ｖ字形状Ｄの段差の高低差Ｂを設けなくてもよい。
【産業上の利用可能性】
【００６５】
ユーザが操作するためのボタンなどが設けられたユーザインターフェース面を備える操作モジュール（操作部）が本体側面に格納可能な加熱調理器に適用できる。
【符号の説明】
【００６６】
１  加熱調理器
４  操作ユニット
５  操作ユニット本体
６  開閉パネル
６ｈ  貫通穴
６ｊ  排出経路（くぼみ形状）
７  インターフェース（操作部）
８  操作モジュール
８ｋ  シュート部
１２  支持ピン（Ｃ１軸）（第１の回動軸）
１６  支持ピン（Ｃ２軸）（第２の回動軸）
１７  フラップ
【図１】
2019207094.tif 000003
【図２】
2019207094.tif 000004
【図３】
2019207094.tif 000005
【図４】
2019207094.tif 000006
【図５】
2019207094.tif 000007
【図６】
2019207094.tif 000008
【図７】
2019207094.tif 000009
【図８】
2019207094.tif 000010
【図９】
2019207094.tif 000011
【図１０】
2019207094.tif 000012
【図１１】
2019207094.tif 000013
【図１２】
2019207094.tif 000014
【図１３】
2019207094.tif 000015
【図１４】
2019207094.tif 000016
【図１５】
2019207094.tif 000017
【図１６】
2019207094.tif 000018
【図１７】
2019207094.tif 000019
【図１８】
2019207094.tif 000020
【図１９】
2019207094.tif 000021
【図２０】
2019207094.tif 000022
【図２１】
2019207094.tif 000023
【図２２】
2019207094.tif 000024
【図２３】
2019207094.tif 000025